(57)【特許請求の範囲】
【請求項１】
玄関扉の錠部分に着脱自在に装着され、電気信号により施解錠させる動力部と、
玄関扉の室外面側に着脱自在に装着されるＩＣカード読取り部と、
玄関扉の室内面側に着脱自在に装着され、前記ＩＣカード読取り部で読み取られたＩＣカード情報の認証を行う認証手段と、該認証手段の認証結果に基づいて前記動力部を電気信号によって制御して施解錠させる制御手段とを備えたコントロール部と、からなり、
前記玄関扉には、玄関扉の室内面を覆う内面カバーと室外面を覆う外面カバーとを備えた着脱自在の養生材が装着され、
前記ＩＣカード読取り部が、養生材の外面カバーに内臓または外面カバーの収納部に収納され、
前記コントロール部が、養生材の内面カバーに装着されることを特徴とする施解錠管理装置。
【請求項２】
玄関扉の錠部分に着脱自在に装着され、電気信号により施解錠させる動力部と、
玄関扉の室外面側に着脱自在に装着されるＩＣカード読取り部と、
玄関扉の室内面側に着脱自在に装着され、前記ＩＣカード読取り部で読み取られたＩＣカード情報の認証を行う認証手段と、該認証手段の認証結果に基づいて前記動力部を電気信号によって制御して施解錠させる制御手段とを備えたコントロール部と、からなり、
前記ＩＣカード読取り部及びコントロール部が、着脱自在に取り付けられた帯状部材を介して装着され、
当該帯状部材は、中間部が前記玄関扉の上端縁に掛けられるとともに、両端部が前記玄関扉の把手に係止されることを特徴とする施解錠管理装置。
【発明の詳細な説明】
【技術分野】
【０００１】
本発明は、建築工事中に玄関扉に着脱自在に装着され、玄関扉の施錠及び解錠を管理する施解錠管理装置に関するものである。
【背景技術】
【０００２】
従来より、住宅等の小規模な建物の施工期間中は、悪戯、施工道具や建築備品の盗難、及び不審火による火災等を防止する為、夜間や休日等、管理者や作業者が不在の際には玄関扉や窓の施錠を行っているが、この際、玄関扉等の扉のシリンダー錠の鍵の差し込み口に特殊なピンを差し込んでおき、ピンが差し込まれたシリンダー錠であればいかなる錠でも施解錠可能な共通の鍵（以下、「コンストラクションキー」という）を、施工に携わる業者に貸与し、建物内への出入りの際には、業者本人が扉の施解錠を行うようにするのが一般的であった。
【０００３】
コンストラクションキーの使用により、現場の管理責任者である住宅メーカー等の建築請負業者は、施工現場に警備員を常駐させたり、施解錠の為に現場管理者が何度も施工現場に赴いたりする必要がなくなって、管理の手間を削減することができる。特に、使用する部材が標準化され、同一仕様の玄関扉（玄関錠）を複数の建物で採用する工業化住宅においては、施工に携わる業者も固定化されることが多く、同一のコンストラクションキーで多くの建物の扉の施解錠が可能となるという点で好都合である。
【０００４】
しかし、多くの建物で同一のコンストラクションキーが使用された場合、共通施工業者がコンストラクションキーを紛失したり、盗難被害に遭うなどして、万が一コンストラクションキーが第３者の手に渡ると、施工中の他の建物が盗難の被害に遭うリスクが非常に高くなり、管理責任を負う住宅メーカー等の建築請負業者にとっては、かえって管理が大変になるという問題があった。また、このような被害を防ぐ為にコンストラクションキーを定期的に変更した場合、その都度、多大な費用がかかるという問題があった。
【０００５】
一方、近年は、指紋認証システム、カードキー、暗証番号及びそれらの組み合わせ等により入場許可者を認識して扉を解錠する装置の開発が進んでいる。例えば、特許文献１に記載の錠装置の制御装置は認証開始スイッチの投入により携帯機との交信を開始し、該携帯機に対する認証成立を条件にアクチュエータを駆動して錠装置を施解錠動作させるというものである。このような制御装置を備えた扉を施工中の建物にも取り付けることができれば、コンストラクションキーの使用による問題は解決される。
【先行技術文献】
【特許文献】
【０００６】
【特許文献１】特開２００６−２４１７６０号公報
【発明の概要】
【発明が解決しようとする課題】
【０００７】
しかし、一般的な手動式の錠を備えた扉の場合、電気配線を通すことも考慮されておらず、装置を扉に固定するような構造にもなっていないので、特許文献１に記載されたような制御装置を施工中の扉に具備させることは難しい。あえてこのような装置を導入するためには、建築主の希望に関係なくすべての扉をこのような制御装置を備えたものにしなければならず、建築主に高価な制御装置の採用を強要することになる。また、建築主が居住した際に使用する制御装置を長期間に亘って施工業者等が先行使用することは、部外者にセキュリティ上の機密を開示しているようなものであり、建築主にとっては心地よいものではない。
【０００８】
本発明は、このような従来技術の有する課題を解決しようとするものであり、一般的な玄関扉に対し手間なく付加することができる施解錠管理装置を提供することを目的とするものである。
【課題を解決するための手段】
【０００９】
上記課題を解決する為に、本発明に係る施解錠管理装置の第１の構成は、玄関扉の錠部分に着脱自在に装着され、電気信号により施解錠させる動力部と、玄関扉の室外面側に着脱自在に装着されるＩＣカード読取り部と、玄関扉の室内面側に着脱自在に装着され、前記ＩＣカード読取り部で読み取られたＩＣカード情報の認証を行う認証手段と、該認証手段の認証結果に基づいて前記動力部を電気信号によって制御して施解錠させる制御手段とを備えたコントロール部と、からなり、前記玄関扉には玄関扉の室内面を覆う内面カバーと室外面を覆う外面カバーとを備えた着脱自在の養生材が装着され、前記ＩＣカード読取り部が養生材の外面カバーに内臓または外面カバーの収納部に収納され、前記コントロール部が、養生材の内面カバーに装着されることを特徴としている。
【００１０】
本発明に係る施解錠管理装置の第２の構成は、玄関扉の錠部分に着脱自在に装着され、電気信号により施解錠させる動力部と、玄関扉の室外面側に着脱自在に装着されるＩＣカード読取り部と、玄関扉の室内面側に着脱自在に装着され、前記ＩＣカード読取り部で読み取られたＩＣカード情報の認証を行う認証手段と、該認証手段の認証結果に基づいて前記動力部を電気信号によって制御して施解錠させる制御手段とを備えたコントロール部と、からなり、前記ＩＣカード読取り部及びコントロール部が、着脱自在に取り付けられた帯状部材を介して装着され、当該帯状部材は、中間部が前記玄関扉の上端縁に掛けられるとともに、両端部が前記玄関扉の把手に係止され前記ＩＣカード読取り部及びコントロール部が、前記玄関扉の把手に着脱自在に係止される帯状部材を介して装着されることを特徴としている。
【発明の効果】
【００１１】
本発明に係る施解錠管理装置の第１及び第２の構成によれば、全ての構成機器が玄関扉に着脱自在に装着されるので、建築工事中の必要な期間のみ玄関扉に装着し、建築工事完了後は玄関扉から取り外して玄関扉を竣工時の完成品の状態とすることができ、玄関扉を専用品に変更することなく施解錠管理機能を付与することができる。
【００１２】
本発明に係る施解錠管理装置の第１の構成によれば、建築工事に必須の要素である玄関扉の養生材に解錠管理の為の構成機器が付加されるので、玄関扉の材質によらず、従来の玄関扉の養生材の着脱に若干の手間を追加するだけで、施解錠管理装置の着脱作業を極めて効率よく行うことができる。
【００１３】
本発明に係る施解錠管理装置の第２の構成によれば、把手を有する玄関扉に対し、極めて容易に、施解錠管理装置の着脱作業を行うことができる。
【図面の簡単な説明】
【００１４】
【図１】竣工時点における玄関扉の錠収容部の詳細を示す図である。
【図２】第１実施例の施解錠管理装置の装着状態を示す図である。
【図３】玄関扉の錠収容部の詳細（近接スイッチ、電動サムターンの装着状態）を示す図である。
【図４】コントロールボックスの構成を示す図である。
【図５】第２実施例の施解錠管理装置の装着状態を示す図である。
【図６】養生材の展開状態を示す図である。
【図７】第３実施例の施解錠管理装置の装着状態を示す図である。
【発明を実施するための形態】
【００１５】
以下に、本発明の施解錠管理装置の好ましい実施形態について、図を参照しながら具体的に説明する。
【００１６】
まず、施解錠管理装置を装着する玄関扉１の構成について説明する。玄関扉１は、面材が鋼製材料からなる片開き形式の扉であり、アルミニウム材料からなる扉枠２に対して図示しない蝶番にて取り付けられる。玄関扉１が取り付けられる建物は鉄骨造の工業化住宅であり、玄関扉１の寸法は規格化されており、同一工業化住宅において汎用的に採用されるものである。
【００１７】
玄関扉１は、錠３（例えば、ゴール株式会社製「本締錠ＳＫ」など）を収容する為に彫り込まれた錠収容部１ａを有している。錠収容部１ａに装着される錠３は、錠ケース３ａに、シリンダー３ｂ、手動サムターン３ｃ、デッドボルト３ｄ等錠としての必要な構成部材が全て組み込まれた形式のものである。
【００１８】
錠３を玄関扉１の錠収容部１ａに装着する際には、手動サムターン３ｃやシリンダー３ｂを取り外した状態の錠ケース３ａを玄関扉１の端面の長方形の装着穴から差し込んだのち、玄関扉１表面の円形穴を利用してサムターンやシリンダー３ｂを嵌め込む。手動サムターン３ｃやシリンダー３ｂは交換や他仕様のものへの変更が可能である。
【００１９】
なお、扉枠２は、その上部の鉄骨梁の下フランジにブラケットを介してボルト固定され、図示しない下端は、建物内部の玄関土間や外部の玄関ポーチの仕上げ工事がなされるまで宙に浮いた状態となっている。
【００２０】
[第１実施例]
次に、図２〜４を参照して、施解錠管理装置の第１実施例の構成について説明する。本実施例の施解錠管理装置は、図２に示すように、動力部Ａ、外部ＩＣカード読取り部Ｂ、コントロール部Ｃ１を内蔵したコントロールボックスＣ、近接スイッチＤ、接続用ケーブルＥなどからなり、全ての構成機器が玄関扉１に対し着脱自在に装着されている。
【００２１】
動力部Ａは、図３に示すように、図１の錠３（デッドボルト３ｄを扉枠２側のストライクに出し入れさせる本締錠形式の錠）において、室内側に通常セットされる手動サムターン３ｃにかえて装着され、電動モーターを内蔵し電気の供給を受けることでサムターンを回転させてデッドボルト３ｄを出し入れする電動サムターン（例えば、市販品としてゴール株式会社製「指紋錠システムＦＴＬ」を構成する電動サムターンＭＴＨ）からなる。
【００２２】
外部ＩＣカード読取り部Ｂは、一般的な薄い板状の非接触式ＩＣカードリーダーであり、背面には磁石が固定されており、玄関扉１の室外側の面に磁力にて装着されている。
【００２３】
コントロールボックスＣには、図４に示すようにＩＣカード読取り部で読み取られたＩＤと登録されている入場を許可するＩＤとを照合することによって認証を行う認証手段Ｃ１ａと、認証結果に基づき動力部に施解錠の為の電気信号を発信して施解錠を制御する制御手段Ｃ１ｂと、入退場データ（ＩＤと該ＩＤを認証した時刻）を記憶する記憶手段Ｃ１ｃとを備えたコントロール部Ｃ１が収納されている。
【００２４】
また、コントロールボックスＣ内には、外部ＩＣカード読取り部Ｂとは別に、室内側からＩＣカードを読取らせるための内部ＩＣカード読取り部Ｃ２（外部ＩＣカード読取り部Ｂと同様の非接触タイプのＩＣカードリーダー）が収納されている。
【００２５】
更に、コントロールボックスＣ内には、記憶手段Ｃ１ｃに記憶された入退場データの無線送信や、認証手段Ｃ１a及び制御手段Ｃ１ｂに対する遠隔地からの命令（例えば、入場許可者のＩＤの登録や解除、制御の解除、完全制限等）の無線受信を行う通信手段であるＰＡＳ（Ｐｅｒｓｏｎａｌ  Ａｃｃｅｓｓ  Ｓｙｓｔｅｍ）Ｃ３、及び仮設電柱からの交流電流を直流電流に変換してコントロール部Ｃ１やＰＡＳＣ３に供給するためのＡＣアダプターＣ４が収納されている。
【００２６】
なお、コントロール部Ｃ１及びＰＡＳＣ３への電源は、外部の仮設電柱から扉枠２下の間の間隙部を経由して供給される。（通常、建物内部の玄関土間や外部の玄関ポーチは、土間下地コンクリートを躯体工事の前後に打設され、タイル等による仕上げ工事は竣工直前に行われるので、工事中の大部分の期間、扉枠２の下には少なくとも仕上げ層分の間隙がある。）また、ＰＡＳＣ３のアンテナ端子には外部アンテナＣ３ａが接続されている。
【００２７】
近接スイッチＤは、図３に示すように、アルミニウムの接近を非接触で検出するセンサーを備えたスイッチ本体Ｄ１と取付け金具Ｄ２とからなり、動力部Ａ装着の際に動力部Ａと玄関扉１とで取付け金具Ｄ２の固定片Ｄ２ｂが挟持されて、玄関扉１が閉じられた状態でスイッチ本体Ｄ１の検知面が扉枠２に僅かな間隙を有して対向するように構成されている。そして、玄関扉１が閉じられセンサーと扉枠２とが接近した際には、その情報（電気信号）がコントロールボックスＣ内の制御手段Ｃ１ｂに送信され、制御手段Ｃ１ｂからは該情報を基に動力部Ａに対し施錠の為の電気信号が発信され、自動的に施錠がなされるように構成されている。
【００２８】
施解錠管理装置の装着手順は以下に示す通りである。
（１）躯体を組み立て、扉枠２を取り付けたのち扉枠２に玄関扉１を吊り込む。
（２）錠ケース３ａが装着されない状態で現場搬入される玄関扉１の錠収容部１ａに錠ケース３ａ（シリンダー３ｂとサムターンが取り外された状態の錠ケース３ａ）を装着する。
（３）外部側にシリンダー３ｂを装着し、内部側には竣工時に装着される手動のサムターンにかえて、動力部（電動サムターン）Ａを装着する。なお、動力部Ａ装着の際には近接スイッチＤを挟み込む。
（４）外部ＩＣカード読取り部Ｂを玄関扉１の室外側面に、コントロールボックスＣを室内側面に装着する。
（５）各種ケーブルＥを用いて構成機器類どうしを接続する。
（６）玄関扉１に適宜養生材Ｆを装着する。
（７）外部仮設電柱から延長した電源コードを扉枠２下の間隙を経由して建物内に引き込み、コントロールボックスＣから延伸した電源プラグＣ５と接続する。
【００２９】
施解錠管理装置は建物の工事期間中に以下のようにして使用される。
（１）作業者が入場しようとする際に外面カバーＦ２の外部ＩＣカード読取り部Ｂにカード（非接触式ＩＣカード）をかざす。この際、ＩＣカード情報（ＩＤ）が認証手段Ｃ１aに伝達され、認証手段Ｃ１aにて入場許可者として登録されたＩＤとの照合作業が行われて、正しく認証された場合（登録ＩＤと一致した場合）には、制御手段Ｃ１ｂから解錠の電気信号が発信されて（動力部Ａを駆動する回路に電気が供給され）動力部Ａが解錠側に回転し玄関扉１が解錠される。また、同時に入場データ（ＩＤとそのＩＤが認証された時刻）が記憶手段Ｃ１ｃに記憶される。
（２）作業者が入場し玄関扉１が閉じられ、近接スイッチＤが扉枠２に接近すると、近接スイッチＤから制御手段Ｃ１ｂに電気信号が発信される。そして、該電気信号に基づいて動力部Ａに施錠のための電気信号が発信され、動力部Ａが施錠側に回転して、施錠される。
（３）作業者が退場する際は、コントロール部Ｃ１に備え付けられた内部ＩＤカード読取り部Ｃ２にカードをかざして退場する。この際、入場時と同様の機構にて施解錠の制御及び退場データ（ＩＤとそのＩＤが認証された時刻）が記憶される。
（４）記憶手段Ｃ１ｃに記憶された入退場データは、サーバーＰＣからの操作によってＰＡＳを介してサーバーＰＣに無線送信され、作業者の労務管理等に活用される。特に、多くの建築現場にて同時進行する建築工事を一括して管理する必要がある住宅メーカーの施工管理部門において、全ての現場の労務やセキュリティを一元管理するネットワークを構築することで労務や現場の管理業務を効率化することが可能である。
【００３０】
なお、夏場の作業時間中は、通風をとる為に玄関扉１を開放状態とすることが多いが、その際は、入退場時の施解錠の制御は行われないが、カードをかざすことによって、入退場データを記憶手段Ｃ１ｃに記憶することができる。
【００３１】
また、コントロールボックスＣは、労務管理の為の装置として単体での利用が可能である。例えば、着工と同時にコントロールボックスＣを仮設電柱等に掛止しておく。そして、玄関扉１が存在しない状態である基礎工事や躯体工事の期間においても、作業者が現場への入退場の際にコントロールボックスＣにカードをかざすことで、入退場データを記憶手段Ｃ１ｃに記憶させることができ、このようにして得られた入退場データを作業者の労務管理に活用することができる。
【００３２】
建築工事が終了し施解錠管理装置を取り外す際には、装着時と逆の手順で各構成機器を取り外し、動力部（電動サムターン）Ａにかえて手動サムターン３ｃを装着する。なお、取り外された施解錠管理装置は、他の建築現場にて再利用される。
【００３３】
上記構成によれば、全ての構成機器が玄関扉１に着脱自在に装着されるので、建築工事中の必要な期間のみ玄関扉１に装着し、建築工事完了後は玄関扉１から取り外して玄関扉１を竣工時の完成品の状態とすることができ、玄関扉１を専用品に変更することなく施解錠管理機能を付与することができる。また、面材が鋼製材料からなる玄関扉１に対して外部ＩＣカード読取り部ＢやコントロールボックスＣを磁力を利用して装着しているので、着脱作業を極めて容易に行うことができる。
【００３４】
[第２実施例]
次に、施解錠管理装置の第２実施例の構成について説明する。本実施例は、玄関扉１の養生材Ｆを利用して施解錠管理装置の各構成機器を装着した例であり、図５、６を参照して第１実施例と異なる構成についてのみ説明する。
【００３５】
養生材Ｆを構成する内面カバーＦ１と外面カバーＦ２は、玄関扉１の保護の要となる板状またはマット状の芯材を、防水性を有する軟質の合成樹脂シートからなる表面材でサンドイッチして構成したものであり、上端部どうしが柔軟性を有する上部連結ベルトＦ３で連結されている。上部連結ベルトＦ３は、養生材Ｆ全体を玄関扉１に掛止する機能を有するものである。
【００３６】
外面カバーＦ２の両側端部には、先端に面ファスナーのメス片Ｆ５が縫合された側部連結ベルトＦ４が取り付けられ、内面カバーＦ１の両側端部の側部連結ベルトＦ４に対応する位置には、面ファスナーのオス片Ｆ６が縫合されている。（面ファスナーにかえてボタン、ホック、バックル等を用いてもよい。）
【００３７】
上部連結ベルトＦ３及び側部連結ベルトＦ４は、薄手で柔軟な素材であり、玄関扉１の開閉に支障を来たさないように構成されている。
【００３８】
内面カバーＦ１の室内側の面には、コントロール部Ｃ１を掛止するためのフック、ボルト等の掛止具Ｆ７が取り付けられている。掛止具Ｆ７は、コントロール部Ｃ１の重量を支持する必要があるため、内面カバーＦ１の内部の少なくとも掛止具Ｆ７付近の領域には所定の強度と剛性を有する板状の下地材を収容しておき、該下地材に掛止具Ｆ７を固定する。（内面カバーＦ１に収容する芯材に下地としての機能をもたせてもよい。）
【００３９】
外面カバーＦ２の玄関扉１側の面には、ポケットＦ８が設けられており、外部ＩＣカード読取り部Ｂは、ポケットＦ８に収納されている。なお、外部ＩＣカード読取り部Ｂは、外面カバーＦ２に内蔵してもよい。
【００４０】
コントロール部Ｃ１と外部ＩＣカード読取り部Ｂとを接続するケーブルＥは、内面カバーＦ１及び外面カバーＦ２に内蔵され、両端の接続端子部分のみがコントロール部Ｃ１掛止部やポケット付近から露出した状態で配線されている。コントロール部Ｃ１と動力部(電動サムターン)Ａとを接続するケーブルＥも、内面カバーＦ１に内臓され、両端の接続端子部分のみがコントロール部Ｃ１掛止部や動力部付近から露出した状態で配線されている。同様に、コントロール部Ｃ１と近接スイッチＤとを接続するケーブルＥも内面カバーＦ１に内臓され、接続端子部分のみがコントロール部Ｃ１掛止部付近から露出した状態で配線されている。なお、ケーブルＥは、養生材Ｆと玄関扉１との間に隠蔽、あるいはむき出しの状態でも構わない。
【００４１】
また、ＰＡＳＣ３用のアンテナＣ３ａも内面カバーＦ１に内臓され、ＰＨＳへの接続端子部分のみがコントロール部Ｃ１掛止部付近から露出した状態で装着されている。
【００４２】
本実施例の施解錠管理装置は、第１実施例の装着手順における（４）を下記のように置き換えることによって装着することができる。
（４）外部ＩＣカード読取り部Ｂを予めポケットに収容したうえで養生材Ｆを玄関扉１に装着し（内面カバーＦ１が玄関扉１の室内側、外面カバーＦ２が室外側となるようにして上部連結ベルトＦ３を玄関扉１上端に掛止し、側部連結ベルトＦ４にて内面カバーＦ１と外面カバーＦ２の側部を連結する。）、コントロール部Ｃ１を内面カバーＦ１の掛止具Ｆ７に掛止する。
【００４３】
上記構成によれば、玄関扉１の材質によらず、従来の玄関扉１の養生材Ｆの着脱に若干の手間を追加するだけで、極めて効率よく施解錠管理機能の付加及び取り去り作業を行うことができる。また、当然のことながら本施解錠管理装置は繰り返しの使用が可能であり、特に同一規格の玄関扉１を大量に取り扱う工業化住宅の施工においては、養生材Ｆのサイズを統一することができるので、コスト面でのメリットが大きい。
【００４４】
[第３実施例]
次に、施解錠管理装置の第３実施例の構成について説明する。本実施例は、玄関扉１に帯状部材Ｇを介して施解錠管理装置の各構成機器を装着した例であり、図７を参照して第２実施例と異なる構成についてのみ説明する。
【００４５】
帯状部材Ｇは、扁平で柔軟な合成繊維、合成樹脂等からなる帯部Ｇ１と、柔軟な合成繊維、合成樹脂等からなり帯部Ｇ１の両端に設けられた係止部Ｇ２と、面ファスナー、ボタン、ホック等からなる止め具Ｇ３と、帯部Ｇ１の中間部の室内側の面に設けられたフックＧ４とで構成されている。
【００４６】
帯状部材Ｇは、帯部Ｇ１を玄関扉１のバーハンドル１ｂの直上に位置するように玄関扉１の上端縁に掛けた後に、係止部Ｇ２を玄関扉１の本体とバーハンドル１ｂとを連結する連結部１ｃに巻き付け、止め具Ｇ３を用いて連結部１ｃに係止することによって、帯状部材Ｇは玄関扉に装着される。なお、帯状部材Ｇは、止め具Ｇ３による係止を解除することによって取り外しが可能である。また、帯部Ｇ１は扁平且つ柔軟性を有しているので、玄関扉１を閉じた状態でも扉枠（不図示）と干渉することがない。
【００４７】
上記の通り帯状部材Ｇを装着したのち、コントロールボックスＣが収容された防水ケースＣ６を室内側の面に設けられたフックＧ４に掛止するとともに、外部ＩＣカード読取り部Ｂを帯部Ｇ１の室外側の面にファスナー等で固定し、アンテナＣ３ａを、玄関扉１の室内側表面あるいは帯状部材Ｇ１に固定し、更にコントロールボックスＣと外部ＩＣカード読取り部Ｂ及び動力部(電動サムターン)Ａとを所定のケーブルＥで結線することによって、本実施例の施解錠管理装置の装着作業は完了する。
【００４８】
なお、玄関扉１の把手の形式は、バーハンドルに限定されるものではなく、ドアノブ形式や水平なレバーを回動させるレバーハンドル形式でもよい。
【００４９】
上記構成によれば、バーハンドル等の把手を有する玄関扉に対し、極めて容易に、施解錠管理装置の着脱作業を行うことができる。
【００５０】
[変形例]
上記３つの実施例において、動力部Ａは、手動サムターン３ｃを電動モーターで回転させる機構を備えたサムターン回転装置を玄関扉１の室内側に装着するアタッチメント形式のものであってもよい。その具体的構成としては、例えば、手動サムターン３ｃを覆い隠すようなカップ状で、内部に電動モーターと電動モーターの回転軸に取り付けられた一対のつまみ挟持片とを有し、該つまみ挟持片でサムターンのつまみを挟持させておき、制御手段Ｃ１ｂからの電気信号によってモーターを回転させて施解錠するものが考えられる。この場合は、上記装着手順の（２）において、手動サムターン３ｃをそのまま装着し、手動サムターン３ｃの上から覆うようにサムターン回転装置を装着する。なお、動力部の固定方法には、（１）玄関扉１表面に両面粘着テープで固定する、（２）手動サムターン３ｃ近傍まで延長した内面カバーＦ１を利用して固定する、（３）近接スイッチＤの取付け金具Ｄ２に固定する、等の方法がある。
【符号の説明】
【００５１】
１  玄関扉
１ａ  錠収容部
１ｂ  バーハンドル
２  扉枠
３  錠
３ａ  錠ケース
３ｂ  シリンダー
３ｃ  手動サムターン
３ｄ  デッドボルト
Ａ  動力部(電動サムターン)
Ｂ  外部ＩＣカード読取り部
Ｃ  コントロールボックス
Ｃ１ コントロール部
Ｃ１ａ  認証手段    
Ｃ１ｂ  制御手段
Ｃ１ｃ  記憶手段
Ｃ２  内部ＩＣカード読取り部
Ｃ３  ＰＡＳ
Ｃ３ａ   アンテナ
Ｃ４  ＡＣアダプター
Ｃ５  電源プラグ
Ｃ６  防水ケース
Ｄ  近接スイッチ
Ｄ１  スイッチ本体
Ｄ２  取付け金具
Ｄ２ａ  スイッチ本体保持片
Ｄ２ｂ  固定片
Ｅ  ケーブル
Ｆ  養生材
Ｆ１  内面カバー
Ｆ２  外面カバー
Ｆ３  上部連結ベルト
Ｆ４  側部連結ベルト
Ｆ５  面ファスナーのメス片
Ｆ６  面ファスナーのオス片
Ｆ７  掛止具
Ｆ８  ポケット
Ｇ  帯状部材
Ｇ１  帯部
Ｇ２  係止部
Ｇ３  止め具
Ｇ４  フック
【産業上の利用可能性】
【００５２】
本発明は、既築の建物において一時的に認証装置にて扉の施解錠管理をしたい場合に適用することが可能である。
【図１】
0005551471.tif 000002
【図２】
0005551471.tif 000003
【図３】
0005551471.tif 000004
【図４】
0005551471.tif 000005
【図５】
0005551471.tif 000006
【図６】
0005551471.tif 000007
【図７】
0005551471.tif 000008